(57)【要約】      （修正有）【課題】蛇口の噴水角度と噴水距離を自動的に調節することを実現し、ユーザに使用しやすい知能型蛇口を提供する。【解決手段】知能型蛇口は、ヘッド１と、頸部２と、台座３と、手動スイッチ４と、出水部５と、回転部と、赤外線センサ７と、信号線１３と、電源と、制御箱１７と、バルブ１８と、三相非同期電機２１と、を備える。蛇口のヘッド上の赤外線センサは、ユーザと出水部との距離と角度のデータをマイクロプロセッサに伝送し、マイクロプロセッサに三相非同期電機の駆動角度を制御させ、さらに、回転部が出水部の中に適当な角度まで転がることを制御し、同時に、マイクロプロセッサがバルブの開きのサイズを制御し、ユーザが遠く離れると、より大きい開きサイズで噴水距離を増加し、ユーザが近くにいると、より小さい開きサイズで正常用水とする。【選択図】図１
0003222422.tif 000002
【実用新案登録請求の範囲】
【請求項１】
ヘッド（１）と、頸部（２）と、台座（３）と、手動スイッチ（４）と、出水部（５）を備え、前記ヘッド（１）が前記頸部（２）によって、前記台座（３）と接続し、前記手動スイッチ（４）が前記台座（３）の側面に設置し、前記出水部（５）が前記台座（３）に向いて、前記ヘッド（１）に設置し、それに、前記ヘッド（１）と連通し、回転部（５２）と、赤外線センサ（７）と、信号線（１３）と、電源（１６）と、制御箱（１７）と、バルブ（１８）と、三相非同期電機（２１）と、を備え、
前記回転部（５２）が球体の相対両端部分を切った中通シェル構造であり、
前記出水部（５）の隆起部（５１）が前記ヘッド（１）より突き出て、前記回転部（５２）が前記隆起部（５１）の中に設置し、それに、前記ヘッド（１）と連通し、
前記隆起部（５１）の上の縁（５１１）が前記回転部（５２）より高く、
前記回転部（５２）が前記三相非同期電機（２１）と電気的に接続し、
少なくとも三つの前記赤外線センサ（７）が平均に前記ヘッド（１）の外側に分布し、それに、前記台座（３）に向き、
前記制御箱（１７）は、前記信号線（１３）によって、前記赤外線センサ（７）と前記三相非同期電機（２１）とそれぞれ接続し、
前記制御箱（１７）の中に、マイクロプロセッサ（１７１）を設置し、前記マイクロプロセッサ（１７１）は前記電源（１６）と、前記手動スイッチ（４）と、前記赤外線センサ（７）と、前記バルブ（１８）と、前記三相非同期電機（２１）と接続し、前記マイクロプロセッサ（１７１）は、前記赤外線センサ（７）によって、人体の位置を検出し、前記三相非同期電機（２１）の駆動方向を制御し、前記回転部（５２）の回転方向を制御することを特徴とする知能型蛇口。
【請求項２】
前記ヘッド（１）に温度センサ（８）を設置し、前記温度センサ（８）が前記信号線（１３）によって前記マイクロプロセッサ（１７１）と接続し、知能型蛇口の周辺区域の空気の温度を検知し、そのために、前記マイクロプロセッサ（１７１）が前記空気の温度によって、前記バルブ（１８）の中の第１子バルブ（１９）と第２子バルブ（２０）のオンとオフを制御することを特徴とする請求項１に記載の知能型蛇口。
【請求項３】
前記台座（３）に光度センサ（９）と照明灯（１１）を設置し、前記照明灯（１１）が前記マイクロプロセッサ（１７１）と電気的に接続し、前記光度センサ（９）が前記信号線（１３）によって、前記マイクロプロセッサ（１７１）と接続し、知能型蛇口の周辺区域の環境光度を検知し、前記マイクロプロセッサ（１７１）が環境光度によって前記照明灯（１１）のオンとオフを制御させることを特徴とする請求項１に記載の知能型蛇口。
【請求項４】
前記台座（３）に無線信号送受器（２２）を設置し、前記無線信号送受器（２２）が前記マイクロプロセッサ（１７１）と、前記温度センサ（８）と、光度センサ（９）と、前記赤外線センサ（７）と接続し、前記温度センサ（８）と、前記光度センサ（９）と、前記赤外線センサ（７）と、前記マイクロプロセッサ（１７１）との間にデータの無線伝送を実現するためであることを特徴とする請求項１から３のいずれか一項に記載の知能型蛇口。
【請求項５】
前記手動スイッチ（４）に読数ディスプレイ（１０）を設置し、前記読数ディスプレイ（１０）が前記マイクロプロセッサ（１７１）と電気的に接続し、前記マイクロプロセッサ（１７１）が発送した文字情報を表示することを特徴とする請求項４に記載の知能型蛇口。
【請求項６】
前記頸部（２）は、第１接続部（２４）と、湾曲部（２５）と、第２接続部（２６）と、を備え、
前記第１接続部（２４）の一端が前記ヘッド（１）と接続し、他の一端が前記湾曲部（２５）によって、前記第２接続部（２６）の一端と接続し、前記第２接続部（２６）の他の一端が前記台座（３）と接続し、
前記湾曲部（２５）が褶曲状になって、前記ヘッド（１）と前記台座（３）との間の相対位置を伸縮し湾曲することを特徴とする請求項１に記載の知能型蛇口。
【請求項７】
前記第１接続部（２４）の内部に裏漉し（６）を設置し、水の中の不純物を濾過することを特徴とする請求項６に記載の知能型蛇口。
【請求項８】
前記台座（３）の手洗い（１２）に近寄る一端と前記頸部（２）に近寄る一端との内径のサイズが前記台座（３）の中部の内径のサイズより小さいであることを特徴とする請求項１に記載の知能型蛇口。
【考案の詳細な説明】
【技術分野】
【０００１】
本実用新案は、知能型家庭用品技術分野に関し、特に知能型蛇口に関するものである。
【背景技術】
【０００２】
蛇口は水弁の通俗的な呼称であり、水の流れの量を制御し、水を節約する効果があって、家庭生活の必需品である。科学技術の発展と人々の生活質量の要求の向上によって、それぞれのメーカが絶え間なく蛇口の構造を改良し新しいものを作り出す。
【０００３】
普通の蛇口の噴水の角度と距離が固定であるが、使う人によって違う、例えば、大人と子供の身長が違って、手を洗うときに、手と蛇口の距離と角度がそれぞれである。子供が使うときに、身長が低くて、蛇口の出水方位を合わせるために、足をあるものに踏み、或いは大人に抱き上げて、蛇口を使い、使用時に安全係数が低く、しかも、非常に不便である。上記の欠点を改善するために、家庭は普通に外接蛇口を使って、元の蛇口の噴水距離を伸ばし、或いは、蛇口の数を増えて、多数の角度に蛇口を設置し、さらに、噴射距離と角度の要求を満足する。しかし、上記の設計が美観ではなく、使用するときに、使用者の違うによって、蛇口を取り外し或いは、出水口を調節する必要があって、操作がくだくだしい、ちょっと気をつけないと、水を手洗いの台面以外に噴射し、非常に不衛生である。
【考案の概要】
【考案が解決しようとする課題】
【０００４】
本考案は、上記した問題に着目してなされたものであり、自動的に噴水距離と噴水角度を調節できる知能型蛇口を提供することを目的とする。
【課題を解決するための手段】
【０００５】
上記の技術課題を解決するために、本考案は以下の構成によって把握される。
【０００６】
上記課題を解決するための手段として、本考案に係る知能型蛇口は、ヘッドと、頸部と、台座と、手動スイッチと、出水部を備え、前記ヘッドが前記頸部によって、前記台座と接続し、前記手動スイッチが前記台座の側面に設置し、前記出水部が前記台座に向いて、前記ヘッドに設置し、しかも、前記ヘッドと連通し、回転部と、赤外線センサと、信号線と、電源と、制御箱と、バルブと、三相非同期電機と、を備え、前記回転部が球体の相対両端部分を切った中通シェル構造であり、前記出水部の隆起部が前記ヘッドより突き出て、前記回転部が前記隆起部の内部にあり、それに、ヘッドと連結し、前記隆起部の上の縁が前記回転部より高く、前記回転部が前記三相非同期電機と接続し、少なくとも三つの前記赤外線センサが平均に前記ヘッドの外側に分布し、それに、前記台座に向き、前記制御箱は、信号線によって、それぞれ前記赤外線センサと前記三相非同期電機と接続し、前記制御箱の中に、マイクロプロセッサを設置し、マイクロプロセッサは前記電源と、前記手動スイッチと、前記赤外線センサと、前記バルブと、前記三相非同期電機と接続し、前記マイクロプロセッサは、前記赤外線センサによって、人体の位置を検出し、前記三相非同期電機の駆動方向を制御し、前記回転部の回転方向を制御する。
【０００７】
実際の使用中に、ユーザが電源をオンにして、制御箱を動かし、洗いたい部位を蛇口に近づけると、知能型蛇口のヘッドにある赤外線センサはユーザが出水部との距離と角度を感応し、さらに、データをマイクロプロセッサに伝送し、マイクロプロセッサが獲得したデータによって、三相非同期電機の駆動角度を制御し、さらに、回転部が出水部に回転した適当な角度を制御し、それによって、水がユーザに向いて噴射させ、同時に、マイクロプロセッサが獲得しタデータによって、バルブの開きサイズを制御し、もしユーザが遠く離れると、大きい開きサイズを選択し、出水部の噴水距離を増加し、もしユーザが近くに居ると、小さい開きサイズを選択し、正常に用水の上に、出水部の噴水距離を減少する。知能型蛇口によって、蛇口の噴水の角度と距離を自動調節することを実現し、ユーザに使いやすいである。
【考案の効果】
【０００８】
本考案によれば、自動的に噴水距離と噴水角度を調節できる知能型蛇口を提供することができる。
【図面の簡単な説明】
【０００９】
明らかに本実用新案の技術方案を説明するために、下記に実施例の中に使用する図面を簡単に紹介し、明らかに分かる、本領域の普通の技術者に対して、創造的な労働性を払わないことを前提として、これらの図面によって、他の図面を獲得できる。
【００１０】
【図１】本実用新案の実施例に係る知能型蛇口の構成を示す図である。
【図２】本実用新案の実施例に係る知能型蛇口の出水部の局部の拡大図面である
【図３】本実用新案の実施例に係る知能型蛇口の中にマイクロプロセッサと関連する部品を示す図である。
【図４】本実用新案の実施例に係る知能型蛇口の中に無線信号発送器と関連する部品を示す図である。
【図５】本実用新案の実施例に係る知能型蛇口の頸部を示す図である。
【図６】本実用新案の実施例に係る知能型蛇口の裏漉しを示す図である。
【図７】本実用新案の実施例に係る知能型蛇口の使用シーンを示す図である。
【考案を実施するための形態】
【００１１】
図１、図２と図３を示すように、本実用新案が知能型蛇口を提供し、該当知能型蛇口はヘッド１と、頸部２と、台座３と、手動スイッチ４と、出水部５を備え、前記ヘッド１が前記頸部２によって、台座３と接続し、前記手動スイッチ４が台座３の側面に設置し、出水部５が台座３に向いてヘッド１に設置し、それに、ヘッド１と連通し、知能型蛇口は、回転部５２と、赤外線センサ７と、信号線１３と、電源１６と、制御箱１７と、バルブ１８と、三相非同期電機２１と、を備える。よく使用するユーザの体つきと使用習慣がほぼ同じ場合に、或いは、手動操作の習慣がある場合に、直接に手動スイッチ４によって蛇口の出水を制御し、自身を移動して蛇口の噴水の角度を合わせる。ユーザの体つきと使用習慣が変えた場合に、例えば、使用者は大人と子供であって、電源１６をオンにして、制御箱１７を起動し、蛇口の知能機能を使用する。
【００１２】
前記回転部５２が球体の相対両端部分を切った中通シェル構造であり、前記出水部５の隆起部５１がヘッド１より突き出て、回転部５２が隆起部５１の内部に回転設置し、それに、ヘッド１と連結する。回転部５２が隆起部５１の内部に敏捷に回転し、回転部５２が回転の過程に自身の通口の転向を変えることによって、出水部５とそれぞれの噴水角度を形成し、噴出した水を精確にユーザのところに到達する。
【００１３】
隆起部５１の上の縁辺５１１が回転部５２より高いである。回転部５２の運動が敏捷で、ユーザが用水のときに、意外に蛇口にぶつけ易く、ユーザが回転部５２にぶつけることを防止するために、回転部５２の受動的な回転を形成し、噴出した水の角度を変え、さらに、知能型蛇口が二回目に回転部５２の角度を調整させ、隆起部５１の上の縁辺５１１が前記回転部５２より高い構造を採用し、それによって、回転部５２に保護作用ができ、ユーザの使用効果を保つ、それに、回転部５２の使用寿命を延ばす。
【００１４】
回転部５２が三相非同期電機２１と電気的に接続し、少なくとも三つの赤外線センサ７が平均にヘッド１の外側に分布し、それに、台座３を向く。平均にヘッド１に分布する多数の赤外線センサ７がヘッド１周囲の人の活動を検出でき、３６０。の測定区域を形成し、測定盲点を防止し、制御の敏感度を向上し、知能型蛇口の噴水角度と噴水距離がもっと精確で、水を無駄に使うことと噴水不足のことを有効的に防止する。
【００１５】
制御箱１７が信号線１３によって、赤外線センサ７と三相非同期電機２１とを接続し、制御箱１７の中に、マイクロプロセッサ１７１を設置し、マイクロプロセッサ１７１が電源１６と、手動スイッチ４と、赤外線センサ７と、バルブ１８と、三相非同期電機２１とを接続し、マイクロプロセッサ１７１が赤外線センサ７によって、人体の位置を検出し、三相非同期電機２１の駆動方向を制御し、回転部５２の回転方向を制御する。電源１６をオンにして、制御箱１７が正常に働き、ユーザが洗いたい部位が知能型蛇口に近寄ると、知能型蛇口のヘッド１上の赤外線センサ７がユーザと出水部との距離及び角度を感応でき、さらに、データをマイクロプロセッサ１７１に電気的に伝送し、マイクロプロセッサ１７１が獲得したデータによって、三相非同期電機２１の駆動角度を制御し、さらに、回転部５２が出水部５の中に適当な角度を回転すること制御し、水がユーザに向いて噴射させ、同時に、マイクロプロセッサ１７１が獲得したデータによって、バルブ１８の開きサイズを制御し、ユーザが遠く離れると、より大きい開きサイズを選択し、出水部５の噴水距離を増加し、近く居ると、小さい開きサイズを選択し、正常出水の上に、出水部５の噴水距離を減少する。知能型蛇口によって、蛇口の噴水角度と噴水距離の自動調整を実現し、ユーザに使いやすいである。
【００１６】
好ましい実施方式として、ヘッド１には、温度センサ８を設置しても良く、温度センサ８が信号線１３によって、マイクロプロセッサ１７１と接続し、知能型蛇口の周辺区域の空気の温度を検出するためであり、マイクロプロセッサ１７１に空気の温度によって、バルブ１８の中の第１子バルブ１９と第２子バルブ２０のオンとオフを制御させる。
【００１７】
温度センサ８がヘッド１に設置し、知能型蛇口の周辺区域の空気の温度を検出できる同時に、蛇口の内部の水温が温度センサ８への影響を有効に低下させ、さらに、温度センサ８が手洗い１２の周辺の用水の湿度への測定の影響を有効に防止し、測定の精確度を保つ。温度センサ８が蛇口の周辺区域の空気の温度を検出した後に、検出した空気の温度に関するデータをマイクロプロセッサ１７１に伝送し、マイクロプロセッサ１７１が空気の温度のデータによって、ユーザの用水の習慣を合わせて、ユーザに適当的な水温を確定できる。もし、目前の空気の温度がユーザの習慣の水温より低いなら、マイクロプロセッサ１７１が第１子バルブ１９の開きサイズを増加し、より多くのお湯が流れ、同時に第２子バルブ２０の開きサイズを減少し、流れる冷水を減少し、中和して、ユーザが適当的な水温を獲得でき、逆に、マイクロプロセッサ１７１が第１子バルブ１９と第２子バルブ２０の開き角度を調整することによって、空気の温度がユーザの習慣の水温より高い水温を調節し、ユーザが適当的な水温を使用できると保証する。
【００１８】
好ましい実施方式として、台座３には、光度センサ９と照明灯１１を設置し、照明灯１１がマイクロプロセッサ１７１と電気的に接続し、光度センサ９が信号線１３によって、マイクロプロセッサ１７１と接続し、知能型蛇口の周辺区域の環境の光度を検出し、マイクロプロセッサ１７１が環境の光度によって照明灯１１のオンとオフを制御する。
【００１９】
ユーザが蛇口に近寄ると、周りの光線を遮って、もし、ユーザが細かいものを整理すると、例えば、爪の隙間など、視線が良くないので、整理の効果に影響する。光度センサ９がリアルタイムに知能型蛇口の周辺区域の環境光度を検出でき、そして、検出した環境光度のデータをマイクロプロセッサ１７１までに伝送する。マイクロプロセッサ１７１は目前の環境光度データが予定の光度閾値より低いかどうか判断し、予定の光度閾値より低いなら、マイクロプロセッサ１７１が照明灯１１をオンに制御し、光の照射を補充し、ユーザが十分の光の下に整理できる。もし、光度センサ９は環境光度が予定の光度閾値より高いと検出し、マイクロプロセッサ１７１が照明灯１１をオフに制御し、ユーザが正常に使用することを保証する場合に、電気を節約できる。
【００２０】
説明する必要があるのは、上記の温度センサ８と、光度センサ９と、バルブ１８との使用功能のオンとオフ、及び具体的に調節する数値をユーザが自身に設置できる。
【００２１】
好ましい実施方式として、台座３に無線信号送受器２２を設置し、無線信号送受器２２がマイクロプロセッサ１７１と、温度センサ８と、光度センサ９と、赤外線センサ７とを接続し、温度センサ８と、光度センサ９と、赤外線センサ７とは、マイクロプロセッサ１７１との間にデータの無線伝送することを実現するためである。
【００２２】
温度センサ８と、光度センサ９と、赤外線センサ７とは、マイクロプロセッサ１７１との間に、通常として、信号線１３によってデータを送信し、もし信号線１３の数が多いなら、巻き付きやすく、それに、敷地が大きく、水に近い特殊環境の中には、漏電を発生しやすいである。伝送の効果と使用の安全性を向上するために、無線伝送を採用し、無線信号送受器２２は、赤外線センサ７と、温度センサ８と、光度センサ９とが、マイクロプロセッサ１７１との間の信号を伝送することによって、無線伝送モードを実現する。
【００２３】
本実施例の中に、図７のように、ユーザが移動終端２３によって、知能型蛇口への制御を実現し、移動終端２３に関連するAPPをダウンロードし、APPを使用することによって、移動終端に使用指令を下達し、無線信号送受器２２が指令を受信した後に、指令をデジタル信号に転化し、マイクロプロセッサ１７１までに伝送し、マイクロプロセッサ１７１に相応する部品の仕事を制御させ、知能性を大いに向上する。
【００２４】
好ましい実施方式として、手動スイッチ４に読数ディスプレイ１０を設置し、読数ディスプレイ１０がマイクロプロセッサ１７１と電気的に接続し、マイクロプロセッサ１７１が発送した文字情報を表示する。
【００２５】
マイクロプロセッサ１７１が、獲得した空気温度と、環境光度と、目前の水温と、水流の速度と、水流の質量となどのデータを読数ディスプレイ１０に伝送し、ユーザが読数ディスプレイ１０が展示した文字情報によって、目下の使用状況をリアルタイムに了解できる。もしユーザが使用状況にもっと高い使用要求を持つなら、例えば、精確的な水温を要求し、読数ディスプレイ１０によって、目前の水温が要求に適合するかどうかを判断し、さらに、手動で水温を調節できる。
【００２６】
好ましい実施方式として、頸部２には、第１接続部２４と、湾曲部２５と、第２接続部２６と、を備え、第１接続部２４の一端がヘッド１と接続し、他の一端が湾曲部２５によって第２接続部２６の一端と接続し、第２接続部２６の他の一端が台座３と接続し、湾曲部２５が褶曲状になって、ヘッド１と台座３との間の相対位置を伸縮し湾曲調節するためにある。
【００２７】
図５のように、もし、ユーザが広い範囲内に蛇口を調節し、さらに、ヘッド１を出水部５の天井板に向く方向まで反転するなら、湾曲部２５を調節することによって実現する。湾曲部２５が褶曲構造を採用し、それぞれの褶曲の間の畳むと引っ張りによって、湾曲部２５に大きい角度の湾曲を実現でき、さらに、回転し、ユーザの満足の形状まで調節できる。
【００２８】
好ましい実施方式として、第１接続部２４の内部に裏漉し６を設置し、水の中の不純物を濾過する。
【００２９】
水道が水道所で浄化処理したが、輸送の過程に、どうしても不純物が入り混じり、しかも、水道が長時間に整理しなく、落ちる水垢を形成し、もしこれらの不純物が直接に使用するなら、ユーザの用水の安全に危険がある。第１接続部２４の内部に裏漉し６を設置し、再び用水を濾過し、さらに、ユーザの用水の質量を保証でき、裏漉し６が普通のステンレス裏漉しを採用し、活性炭の材質の裏漉しを採用しても良い、反浸透裏漉しを使用することも可能であり、濾過の質量が高くなる。
【００３０】
好ましい実施方式として、台座３の手洗い１２に近寄る一端と頸部２に近寄る一端の内径のサイズが台座３の中部の内径のサイズより小さいである。
【００３１】
用水が送水管１５と進水口１４によって知能型蛇口に入り、もし知能型蛇口の台座３の全体的な内径のサイズがほぼ同じ或いは近いとしたら、滞在しなく台座３を経過し、知能型蛇口から流れ出す、したがって、バルブ１８が直接に水流の大きさに影響し、このとき、広い範囲の調節バルブ１８によって、水流の制御を実現する。台座３の中部の内径のサイズを増加すると、水が台座３を通過する過程に、貯蔵と滞在の動作があって、水流及び水圧に影響し、それによって、バルブ１８の調節に協力し、バルブ１８に小さい調節範囲内に、元の調節効果を作用する、同時に、元の水流の調節範囲を拡大する上に、水流の調節効果を増加し、バルブ１８の使用寿命を延ばす。
【００３２】
本実用新案が提供した実施例の間に、似た部分が相互参照したら良い、以上に提供した実施例がただ本実用新案の全体的な構想の下のいくつかの例であって、本実用新案の保護範囲の限定を構成しない。本領域の技術者に対して、創造的な労働を払わないことを前提として、本願によって拡張されたその他の実施方法は、本願の保護範囲に属する。
【図１】
0003222422.tif 000003
【図２】
0003222422.tif 000004
【図３】
0003222422.tif 000005
【図４】
0003222422.tif 000006
【図５】
0003222422.tif 000007
【図６】
0003222422.tif 000008
【図７】
0003222422.tif 000009
【手続補正書】
【提出日】令和1年5月29日(2019.5.29)
【手続補正１】
【補正対象書類名】実用新案登録請求の範囲
【補正対象項目名】全文
【補正方法】変更
【補正の内容】
【実用新案登録請求の範囲】
【請求項１】
ヘッド（１）と、頸部（２）と、台座（３）と、手動スイッチ（４）と、出水部（５）を備え、前記ヘッド（１）が前記頸部（２）によって、前記台座（３）と接続し、前記手動スイッチ（４）が前記台座（３）の側面に設置し、前記出水部（５）が前記台座（３）に向いて、前記ヘッド（１）に設置し、それに、前記ヘッド（１）と連通し、回転部（５２）と、赤外線センサ（７）と、信号線（１３）と、電源（１６）と、制御箱（１７）と、バルブ（１８）と、三相非同期電機（２１）と、を備え、
前記回転部（５２）が球体の相対両端部分を切った中通シェル構造であり、
前記出水部（５）の隆起部（５１）が前記ヘッド（１）より突き出て、前記回転部（５２）が前記隆起部（５１）の中に設置し、それに、前記ヘッド（１）と連通し、
前記隆起部（５１）の上の縁（５１１）が前記回転部（５２）より高く、
前記回転部（５２）が前記三相非同期電機（２１）と電気的に接続し、
少なくとも三つの前記赤外線センサ（７）が平均に前記ヘッド（１）の外側に分布し、それに、前記台座（３）に向き、
前記制御箱（１７）は、前記信号線（１３）によって、前記赤外線センサ（７）と前記三相非同期電機（２１）とそれぞれ接続し、
前記制御箱（１７）の中に、マイクロプロセッサ（１７１）を設置し、前記マイクロプロセッサ（１７１）は前記電源（１６）と、前記手動スイッチ（４）と、前記赤外線センサ（７）と、前記バルブ（１８）と、前記三相非同期電機（２１）と接続し、前記マイクロプロセッサ（１７１）は、前記赤外線センサ（７）によって、人体の位置を検出し、前記三相非同期電機（２１）の駆動方向を制御し、前記回転部（５２）の回転方向を制御することを特徴とする知能型蛇口。
【請求項２】
前記ヘッド（１）に温度センサ（８）を設置し、前記温度センサ（８）が前記信号線（１３）によって前記マイクロプロセッサ（１７１）と接続し、知能型蛇口の周辺区域の空気の温度を検知し、そのために、前記マイクロプロセッサ（１７１）が前記空気の温度によって、前記バルブ（１８）の中の第１子バルブ（１９）と第２子バルブ（２０）のオンとオフを制御することを特徴とする請求項１に記載の知能型蛇口。
【請求項３】
前記台座（３）に光度センサ（９）と照明灯（１１）を設置し、前記照明灯（１１）が前記マイクロプロセッサ（１７１）と電気的に接続し、前記光度センサ（９）が前記信号線（１３）によって、前記マイクロプロセッサ（１７１）と接続し、知能型蛇口の周辺区域の環境光度を検知し、前記マイクロプロセッサ（１７１）が環境光度によって前記照明灯（１１）のオンとオフを制御させることを特徴とする請求項１に記載の知能型蛇口。
【請求項４】
前記台座（３）に無線信号送受器（２２）を設置し、前記無線信号送受器（２２）が前記マイクロプロセッサ（１７１）と、前記温度センサ（８）と、光度センサ（９）と、前記赤外線センサ（７）と接続し、前記温度センサ（８）と、前記光度センサ（９）と、前記赤外線センサ（７）と、前記マイクロプロセッサ（１７１）との間にデータの無線伝送を実現するためであることを特徴とする請求項２に記載の知能型蛇口。
【請求項５】
前記手動スイッチ（４）に読数ディスプレイ（１０）を設置し、前記読数ディスプレイ（１０）が前記マイクロプロセッサ（１７１）と電気的に接続し、前記マイクロプロセッサ（１７１）が発送した文字情報を表示することを特徴とする請求項４に記載の知能型蛇口。
【請求項６】
前記頸部（２）は、第１接続部（２４）と、湾曲部（２５）と、第２接続部（２６）と、を備え、
前記第１接続部（２４）の一端が前記ヘッド（１）と接続し、他の一端が前記湾曲部（２５）によって、前記第２接続部（２６）の一端と接続し、前記第２接続部（２６）の他の一端が前記台座（３）と接続し、
前記湾曲部（２５）が褶曲状になって、前記ヘッド（１）と前記台座（３）との間の相対位置を伸縮し湾曲することを特徴とする請求項１に記載の知能型蛇口。
【請求項７】
前記第１接続部（２４）の内部に裏漉し（６）を設置し、水の中の不純物を濾過することを特徴とする請求項６に記載の知能型蛇口。
【請求項８】
前記台座（３）の手洗い（１２）に近寄る一端と前記頸部（２）に近寄る一端との内径のサイズが前記台座（３）の中部の内径のサイズより小さいであることを特徴とする請求項１に記載の知能型蛇口。